(57)【要約】【課題】複数の発光部を有した複数の部品を備えた場合に、それら部品の仕様違いによる不都合が生じにくい映像表示装置、バックライトユニット、および電子機器を得る。【解決手段】映像表示装置は、筐体と、表示部と、導光部と、二つの第一の部品と、二つの第二の部品と、を備える。二つの第一の部品は、導光部の端部に沿った基部と、この基部に設けられて導光部の端部に対向した状態で位置された複数の発光部と、この発光部に電気的に接続された正極および負極の複数の端子が設けられた接続部と、を有し、複数の端子の配列が同じである。また、二つの第二の部品は、導光部の端部に沿った基部と、この基部に設けられて導光部の端部に対向した状態で位置された複数の発光部と、この発光部に電気的に接続された正極および負極の複数の端子が設けられた接続部と、を有し、複数の端子の配列が同じである。【選択図】図５
2012138181.tif 000002
【特許請求の範囲】
【請求項１】
筐体と、
表示画面を有し、前記筐体内に少なくとも一部が収容された表示部と、
前記表示部に対して前記表示画面の反対側に位置された導光部と、
前記導光部の端部に沿った基部と、この基部に設けられて前記導光部の端部に対向した状態で位置された複数の発光部と、この発光部に電気的に接続された正極および負極の複数の端子が設けられた接続部と、を有し、前記複数の端子の配列が同じである二つの第一の部品と、
前記導光部の端部に沿った基部と、この基部に設けられて前記導光部の端部に対向した状態で位置された複数の発光部と、この発光部に電気的に接続された正極および負極の複数の端子が設けられた接続部と、を有し、前記複数の端子の配列が同じである二つの第二の部品と、
を備えたことを特徴とする映像表示装置。
【請求項２】
前記二つの第一の部品では、前記端子のそれぞれに対応する前記発光部の前記基部における配列が同じであり、かつ、
前記二つの第二の部品では、前記端子のそれぞれに対応する前記発光部の前記基部における配列が同じであることを特徴とする請求項１に記載の映像表示装置。
【請求項３】
前記二つの第一の部品では、前記基部における前記接続部の位置が同じであり、かつ、
前記二つの第二の部品では、前記基部における前記接続部の位置が同じであることを特徴とする請求項１または２に記載の映像表示装置。
【請求項４】
前記二つの第一の部品と、前記二つの第二の部品とが、対角状に設けられたことを特徴とする請求項１〜３のうちいずれか一つに記載の映像表示装置。
【請求項５】
前記接続部に接続された第二の接続部とその反対側の第三の接続部とを有した複数のフラットケーブルと、
複数の前記第三の接続部に接続された複数の第四の接続部を有して前記発光部に電力を供給する回路基板と、
をさらに備えたことを特徴とする請求項１〜４のうちいずれか一つに記載の映像表示装置。
【請求項６】
前記複数の第四の接続部が、前記回路基板の相互に対向する二つの端部に設けられたことを特徴とする請求項５に記載の映像表示装置。
【請求項７】
前記複数の第四の接続部が、前記回路基板の一つの端部に並べて設けられたことを特徴とする請求項５に記載の映像表示装置。
【請求項８】
前記複数のフラットケーブルの間に当該フラットケーブルの厚さ方向に挟まれた介在部品をさらに備えたことを特徴とする請求項５〜７のうちいずれか一つに記載の映像表示装置。
【請求項９】
導光部と、
前記導光部の端部に沿った基部と、この基部に設けられて前記導光部の端部に対向した状態で位置された複数の発光部と、この発光部に電気的に接続された正極および負極の複数の端子が設けられた接続部と、を有し、前記複数の端子の配列が同じである二つの第一の部品と、
前記導光部の端部に沿った基部と、この基部に設けられて前記導光部の端部に対向した状態で位置された複数の発光部と、この発光部に電気的に接続された正極および負極の複数の端子が設けられた接続部と、を有し、前記複数の端子の配列が同じである二つの第二の部品と、
を備えたことを特徴とすることを特徴とするバックライトユニット。
【請求項１０】
筐体と、
表示画面を有し、前記筐体内に少なくとも一部が収容された表示部と、
前記表示部に対して前記表示画面の反対側に位置された導光部と、
前記導光部の端部に沿った基部と、この基部に設けられて前記導光部の端部に対応して位置された複数の発光部と、第１極と第２極との配列を揃えられて前記発光部に電気的に接続された複数の端子と、を有し、互いに置き換え可能な一対の部品と、
を備えたことを特徴とする電子機器。
【発明の詳細な説明】
【技術分野】
【０００１】
本発明の実施形態は、映像表示装置、バックライトユニット、および電子機器に関する。
【背景技術】
【０００２】
従来、表示部の背後に設けられた導光板と、この導光板の側方の端部に対向して配置されたバックライト用の複数のＬＥＤ（light emitting diode）と、を有した液晶表示装置が知られている。
【先行技術文献】
【特許文献】
【０００３】
【特許文献１】特開２００６−２０８７２２号公報
【発明の概要】
【発明が解決しようとする課題】
【０００４】
しかしながら、この種の映像表示装置で、複数のＬＥＤを有した複数の部品が設けられた場合、それら複数の部品がその設置場所毎に異なる構成（仕様）を有すると、部品点数の増大や製造に手間を要する等の不都合が生じる虞があった。
【０００５】
そこで、本発明の実施形態は、複数の発光部を有した複数の部品を備えた場合に、それら部品の仕様違いによる不都合が生じにくい映像表示装置、バックライトユニット、および電子機器を得ることを目的の一つとする。
【課題を解決するための手段】
【０００６】
本発明の実施形態にかかる映像表示装置は、筐体と、表示部と、導光部と、二つの第一の部品と、二つの第二の部品と、を備える。表示部は、表示画面を有し、筐体内に少なくともその一部が収容される。導光部は、表示部に対して表示画面の反対側に位置される。二つの第一の部品は、導光部の端部に沿った基部と、この基部に設けられて導光部の端部に対向した状態で位置された複数の発光部と、この発光部に電気的に接続された正極および負極の複数の端子が設けられた接続部と、を有し、複数の端子の配列が同じである。また、二つの第二の部品は、導光部の端部に沿った基部と、この基部に設けられて導光部の端部に対向した状態で位置された複数の発光部と、この発光部に電気的に接続された正極および負極の複数の端子が設けられた接続部と、を有し、複数の端子の配列が同じである。
【図面の簡単な説明】
【０００７】
【図１】図１は、実施形態にかかる映像表示装置の一例を示す正面図である。
【図２】図２は、実施形態にかかる映像表示装置の一例を示す側面図である。
【図３】図３は、実施形態にかかる映像表示装置のバックカバーを取り外した状態の一例を示す背面図である。
【図４】図４は、実施形態にかかる映像表示装置の本体部の一例の模式的な分解斜視図である。
【図５】図５は、実施形態にかかる映像表示装置の導光体および複数の部品の配置の一例を示す模式的な背面図である。
【図６】図６は、実施形態にかかる映像表示装置の部品の一例を示す斜視図である。
【図７】図７は、実施形態にかかる映像表示装置の複数の部品における回路構成およびコネクタの端子の配列の一例を示す模式的な説明図である。
【図８】図８は、実施形態にかかる映像表示装置の回路基板における第四の接続部の配置の一例を模式的に示す背面図である。
【図９】図９は、実施形態にかかる映像表示装置の導光体および複数の部品の配置の別の一例を示す模式的な背面図である。
【図１０】図１０は、実施形態にかかる映像表示装置の回路基板における第四の接続部の配置の別の一例を模式的に示す背面図である。
【図１１】図１１は、実施形態の変形例にかかる映像表示装置の複数のフラットケーブルが厚さ方向に重なりあった状態の一例を模式的に示す断面図である。
【発明を実施するための形態】
【０００８】
一部の図では、便宜上、方向が規定されている。Ｘ方向は表示画面に対する正面視で左方（背面視では右方）、Ｙ方向は上方、Ｚ方向は表示画面の法線方向である。
【０００９】
図１，２に例示されるように、本実施形態では、例えばテレビジョン受像機として構成される映像表示装置１は、台部３と、この台部３上に脚部５および取付部６を介して支持された比較的薄い扁平な矩形状の本体部２と、を備えている。本体部２の筐体２ｃの前面２ａには矩形状の開口部２ｅが設けられており、この開口部２ｅから、筐体２ｃ内に収容された表示部４（表示ユニット８）の表示画面４ａが露出している。表示部４は、例えば、液晶ディスプレイ（ＬＣＤ：liquid crystal display）や、有機ＥＬディスプレイ（ＯＥＬＤ：organic electroluminescent display）等のパネル（パネルユニット）である。
【００１０】
筐体２ｃは、一例としては、前面２ａ側のフロントマスク２ｄや、後面２ｂ側のバックカバー２ｆ等の分割体を組み合わせて構成される。取付部６は、後面２ｂから背後側に突出しており、回動軸Ｃを中心として回動可能に、脚部５に支持されている。
【００１１】
図３に示すように、表示部４を含む表示ユニット８の背面８ａ上には、複数の回路基板７（７Ａ〜７Ｄ）がねじ（図示せず）等の結合具を介して取り付けられている。背面８ａ上にはボス部（図示せず）が突出され、このボス部上に回路基板７が固定されている。よって、回路基板７と背面８ａとの間には隙間が存在する。
【００１２】
また、表示ユニット８の背面８ａをなすバックプレート８ｂには、左右方向に間隔をあけて配置されて上下方向に延びた二つのフレーム９Ａと、二つのフレーム９Ａの上下方向中間部の間で架け渡されて左右方向に延びたフレーム９Ｂと、が設けられている。フレーム９Ａ，９Ｂは、表示画面４ａの反対側に向けて、すなわち背面８ａ上に、突出されている。なお、フレーム９Ａ，９Ｂは、表示ユニット８を構造的に補強する部分（補強部、骨格部）である。これらフレーム９Ａ，９Ｂは、バックプレート８ｂをプレス等することで部分的に折り曲げて構成することができるし、別部材を付加することで構成することができるし、あるいは、バックプレート８ｂを部分的に折り曲げた上で別部材を付加することで構成することができる。
【００１３】
図３の例では、フレーム９Ａ，９Ｂは、Ｈ字状に配置されている。これらフレーム９Ａ，９Ｂによって、表示ユニット８の背面８ａは、背面視（すなわち図３の視線）で右側のフレーム９Ａより右側の第一の領域Ａ１と、左右方向中央部でフレーム９Ｂより下側の第二の領域Ａ２と、フレーム９Ｂの上側の第三の領域Ａ３と、左側のフレーム９Ａの左側の第四の領域Ａ４とに、分けられている。そして、図３の例では、第一の領域Ａ１には回路基板７Ａが設けられ、第二の領域Ａ２には回路基板７Ｂが設けられ、第三の領域Ａ３には回路基板７Ｃが設けられ、第四の領域Ａ４には回路基板７Ｄが設けられている。なお、図４に示すように、回路基板７はシールドケース２２で覆うことができる。
【００１４】
右側の領域Ａ１の回路基板７Ａには、例えば、チューナや外部接続コネクタ等（いずれも図示せず）が設けられる。そして、回路基板７Ａに設けられた回路は、それらチューナや外部接続コネクタ等を介して入力された信号を処理して、画像データや音声データ等を出力する。
【００１５】
左右方向中央部の下側の領域Ａ２の回路基板７Ｂには、ＦＲＣ（frame rate control）回路やＴＣＯＮ（timing control）回路等が設けられる。この回路基板７Ｂでは、ＦＲＣ回路が上側に、ＴＣＯＮ回路が下側に設けられる。また、図示しないが、回路基板７Ｂのさらに下側の、表示部４の下側の端部に沿う位置には、表示部４を動作させるゲート駆動回路が設けられる。
【００１６】
左右方向中央部の上側の領域Ａ３の回路基板７Ｃには、電源回路等が設けられる。電源回路を左右方向中央部へ配置することで、回路基板７Ｃと複数の回路基板７Ａ，７Ｂ，７Ｄとの間で配策される電源ケーブル（図示せず）をより短くすることができる。また、回路基板７Ｃを上方に配置することで、下方に配置した場合に比べて電源回路で生じた熱を排出しやすくなって、その熱による他の部分（例えば回路基板７Ａ，７Ｂ，７Ｄ等）への影響を抑制しやすくなる。
【００１７】
左側の領域Ａ４の回路基板７Ｄには、複数の発光部１０（例えばＬＥＤ等、図６等参照）の発光を制御する駆動回路等が設けられる。この回路基板７Ｄには、例えばＦＰＣ（flexible printed circuits）やＦＦＣ（flexible flat cable）等として構成されるフラットケーブル１１の接続部１２ｃが接続されるコネクタ（接続部）１２ｄが、設けられている。複数の発光部１０と回路基板７Ｄとの間の配線としてフラットケーブル１１を用いることで、個別に独立した配線や捩り線等を用いた場合に比べて、製造の手間を減らして、製造コストを低減しやすくなる。
【００１８】
回路基板７Ｄの上下には、それぞれ、部品１３が配置されている。よって、これら部品１３とフラットケーブル１１との干渉を避けるため、コネクタ１２ｄは、回路基板７Ｄの上下の端部７ａ，７ｂではなく、回路基板７Ｄの左右の端部７ｃ，７ｄに設けられている。
【００１９】
図４に示すように、本実施形態では、フロントマスク２ｄとバックカバー２ｆとで構成された筐体２ｃ内に、表示部４とバックライト部１４とを含む表示ユニット８が、収容されている。バックライト部１４をバックライトユニットとして組み立てた後、バックライトユニット（バックライト部１４）と表示部４とを組みたてて、表示ユニット８を構成することができる。なお、図４において、符号２１は組立用のねじである。
【００２０】
表示部４は、ベース部４ｂや、パネル部４ｃ、ソース基板４ｄ、ソースＣＯＦ（chip on film）４ｅ、ゲートＣＯＦ４ｆ等を備える。
【００２１】
バックライト部１４は、バックプレート８ｂや、反射層１４ａ、導光部１５、プリズム層１４ｂ、偏光層１４ｃ、フレーム１４ｄ、部品１６等を備える。バックプレート８ｂ、反射層１４ａ、導光部１５、プリズム層１４ｂ、および偏光層１４ｃは、いずれも正面視で矩形状（長方形状）の扁平な形状を呈しており、これらは図４に示す順に積層されている。
【００２２】
複数の発光部１０を有した部品１６（図７等参照）は、導光部１５の端部１５ａ〜１５ｄのうち、本実施形態では左右両側の相互に対向する端部１５ｃ，１５ｄに沿って、それら端部１５ｃ，１５ｄに間隙をあけて対向して位置されている。なお、端部１５ｃ，１５ｄは、表示部４の端部４ｇ〜４ｊ（図４参照）のうち左右両側の相互に対向する端部４ｉ，４ｊに沿っている。よって、部品１６は、表示部４の端部４ｉ，４ｊにも沿っている。
【００２３】
部品１６に設けられた複数の発光部１０は、図６に示すように部品１６の基部１６ａに沿って、すなわち図５を参照すれば明らかとなるように端部１５ｃ，１５ｄに沿って、例えば一列に並べられている。発光部１０は、部品１６の基部１６ａ上に、端部１５ｃ，１５ｄに対向した状態に設けられている。よって、発光部１０から出射した光は、板状の導光部１５の端部１５ｃ，１５ｄから導光部１５内へ入り、前面１５ｅから出射される。また、後面１５ｆ側には反射層１４ａが位置されているため、後面１５ｆから出射された光は、反射層１４ａで反射して導光部１５内に戻り、前面１５ｅから出射される。前面１５ｅから出射された光は、プリズム層１４ｂおよび偏光層１４ｃを経て表示部４の後面（表示画面４ａの裏面）に、バックライトとして照射される。なお、フレーム１４ｄは、比較的剛性の高い材料（例えば金属材料等）で構成され、バックプレート８ｂやフレーム９Ａ，９Ｂとともに、バックライト部１４および表示ユニット８の筐体として機能する。
【００２４】
図４，５に示すように、本実施形態では、矩形状の導光部１５の左右両側の相互に対向する各端部１５ｃ，１５ｄについて二つの部品１６が、すなわち合計四つの部品１６が設けられている。部品１６は、図６に示すように、基部１６ａと、複数の発光部１０と、接続部としてのコネクタ１２ａと、を有している。発光部１０およびコネクタ１２ａは、基部１６ａの、導光部１５の端部１５ｃ，１５ｄとの対向面１６ｂ上に、例えばはんだ付け等で実装されている。基部１６ａは、例えばアルミニウム合金等の熱伝導性が比較的高い材料で構成されている。基部１６ａには、絶縁層や導体層が積層されて導体パターン（図示せず）が形成されている。この導体パターンによって、コネクタ１２ａの端子１７ｐ，１７ｍと発光部１０とが電気的に接続された回路１８（図７参照）が構成される。また、基部１６ａの長手方向の端部１６ｃには、ねじ留め用の貫通孔１６ｄが設けられている。
【００２５】
また、コネクタ１２ａは、本実施形態では、基部１６ａの長手方向の端部１６ｃに設けられている。そして、コネクタ１２ａは、部品１６が沿う導光部１５の端部１５ｃ，１５ｄの長手方向の両端側に配置されている。
【００２６】
ここで、本実施形態では、少なくとも、図５で相互に対角状に配置された部品１６Ａと部品１６Ｄとが同じ仕様であり、かつ部品１６Ｂと部品１６Ｃとが同じ仕様である。すなわち、本実施形態では、映像表示装置１には、四つの部品１６が設けられるものの、部品１６の仕様（種類）は二つである。二つの仕様のうちいずれか一方が第一の部品、他方が第二の部品に相当する。このように、本実施形態では、複数箇所で部品１６を共用化することで、部品１６の数を減らして、部品１６の製造の手間を減らして製造コストを低減することができる。
【００２７】
具体的に、部品１６Ａおよび部品１６Ｄについては、コネクタ１２ａにおける端子１７ｐ，１７ｍの配列（図７参照）、端子１７ｐ，１７ｍのそれぞれに対応する複数の発光部１０の基部１６ａにおける配列（図７参照）、ならびに基部１６ａにおけるコネクタ１２ａの位置（図５参照）が、同じである。また、部品１６Ｂおよび部品１６Ｃについても、コネクタ１２ａの端子１７ｐ，１７ｍの配列、端子１７ｐ，１７ｍのそれぞれに対応する複数の発光部１０の基部１６ａにおける配列、ならびに基部１６ａに対するコネクタ１２ａの相対位置が、同じである。複数の部品１６で端子１７ｐ，１７ｍの配列を同じにすることで、同一仕様のフラットケーブル１１の使用が可能になるとともに、回路基板７Ｄの複数のコネクタ１２ｄにおける端子の配列を同じにすることができる。
【００２８】
図７は、図５の姿勢で配置された四つの部品１６Ａ〜１６Ｄのコネクタ１２ａの端子１７ｐ，１７ｍの配置を示している。この図７に示すように、四つの部品１６Ａ〜１６Ｄとも、コネクタ１２ａでは、対向する端部１５ｃ，１５ｄの長手方向の端部側、すなわち、部品１６Ａ，１６Ｃについては上側、部品１６Ｂ，１６Ｄについては下側に、アノード（正極）の端子１７ｐが配置され、その反対側にカソード（負極）の端子１７ｍが配置されている。また、本実施形態では、四つの部品１６のコネクタ１２ａは、いずれも、一例として、３個のアノードの端子１７ｐと、８個のカソードの端子１７ｍを有している。そして、３個のアノード端子１７ｐは相互に電気的に接続されており、これらアノード端子１７ｐと各カソード端子１７ｍとの間に並列な８本の配線（導体パターン）が設けられ、各配線について５個の発光部１０が設けられている。すなわち、本実施形態では、一つの部品１６には、４０個の発光部１０が設けられている。発光部１０は、カソード端子１７ｍ毎に発光（点灯および消灯）が制御される。なお、正極および負極のうちいずれか一方が第一極、他方が第二極に相当する。
【００２９】
また、部品１６Ａおよび部品１６Ｄについては、仕様（構成）が同一あるため、端子１７ｐ，１７ｍのそれぞれに対応する発光部１０の基部１６ａにおける配列が同じである。すなわち、例えば、部品１６Ａでは、対向する端部１５ｃの中央側（すなわち、図５の上下方向中央側）に、ピン番号１のカソード端子１７ｍに電気的に接続された発光部１０が配置され、ピン番号が大きくなるほど、そのピン番号に対応する発光部１０は、端部１５ｃの長手方向端部側（すなわち、図５の上側）に、順次配置される。部品１６Ｄでも、対向する端部１５ｃの中央側（すなわち、図５の上下方向中央側）に、ピン番号１のカソード端子１７ｍに電気的に接続された発光部１０が配置され、ピン番号が大きくなるほど、そのピン番号に対応する発光部１０は、端部１５ｃの長手方向端部側（すなわち、図５の下側）に、順次配置される。
【００３０】
本実施形態では、部品１６Ａは、図５の紙面に沿って（すなわちＸＹ平面、表示画面４ａや背面８ａに沿う平面、基部１６ａの発光部１０の実装面に対して直交するとともに基部１６ａの長手方向に沿う平面に沿って）１８０°回転させることで、部品１６Ｄの姿勢になる。すなわち、部品１６Ａ，１６Ｄは、相互に置き換え可能な一対の部品１６である。部品１６Ｂ，１６Ｃについても、同様である。すなわち、部品１６Ｂ，１６Ｃは、相互に置き換え可能な一対の部品１６である。このように、複数箇所でＸＹ平面に沿って１８０°回転させた姿勢で部品１６を共用するのは、表示画面４ａの法線方向で部品１６の手前側（前面側）と奥側（背面側）とを反転させた姿勢で部品１６を使用できない場合、一例としては部品１６がＸＹ平面については面対称にならない場合に、有効である。なお、表示画面４ａの法線方向で部品１６の手前側（前面側）と奥側（背面側）とを反転させても発光部１０による発光やコネクタ１２ａでのフラットケーブル１１との接続等に特に支障が無く、使用可能な部品１６であれば、当該部品１６を、図５に示す四箇所に異なる姿勢（図５の姿勢、前後の反転あり）で配置して、共用することも可能である。
【００３１】
図８には、回路基板７Ｄに設けられるコネクタ１２ｄの端子（図示せず）の配列の一例が示されている。回路基板７Ｄの図８の左側の端部７ｃに設けられた二つのコネクタ１２ｄでは、ピン番号は下側から上側に向かうにつれて大きくなる。これら二つのコネクタ１２ｄのうち、上側のコネクタ１２ｄの端子は、フラットケーブル１１内の配線（図示せず）を介して図７の左下のコネクタ１２ａの端子１７ｐ，１７ｍに接続され、下側のコネクタ１２ｄの端子は、フラットケーブル１１内の配線を介して図７の右下のコネクタ１２ａの端子１７ｐ，１７ｍに接続される。図７に示すように、左下のコネクタ１２ａでは、ピン番号は下側から上側に向かうにつれて大きくなり、右下のコネクタ１２ａでは、ピン番号は上側から下側に向かうにつれて大きくなる。ここで、図３に示すように、下側のコネクタ１２ｄに接続されるフラットケーブル１１は、配線の上下の順序が反転する状態にＵ字状に配策されているため、上下方向に配列順が逆の回路基板７Ｄのコネクタ１２ｄの端子と部品１６Ｂのコネクタ１２ａの端子１７ｐ，１７ｍとを接続することができる。一方、上側のコネクタ１２ｄに接続されるフラットケーブル１１は、配線の上下の順序が反転しない状態にＳ字状またはＩ字状に配策されているため、上下方向に配列順が同じ回路基板７Ｄのコネクタ１２ｄの端子と部品１６Ｂのコネクタ１２ａの端子１７ｐ，１７ｍとを接続することができる。
【００３２】
一方、回路基板７Ｄの図８の右側の端部７ｄに設けられた二つのコネクタ１２ｄでは、ピン番号は上側から下側に向かうにつれて大きくなる。これら二つのコネクタ１２ｄのうち、上側のコネクタ１２ｄの端子は、フラットケーブル１１内の配線（図示せず）を介して図７の左上のコネクタ１２ａの端子１７ｐ，１７ｍに接続され、下側のコネクタ１２ｄの端子は、フラットケーブル１１内の配線を介して図７の右上のコネクタ１２ａの端子１７ｐ，１７ｍに接続される。図７に示すように、左上のコネクタ１２ａでは、ピン番号は下側から上側に向かうにつれて大きくなり、右上のコネクタ１２ａでは、ピン番号は上側から下側に向かうにつれて大きくなる。ここで、図３に示すように、上側のコネクタ１２ｄに接続されるフラットケーブル１１は、配線の上下の順序が反転する状態にＵ字状に配策されているため、上下方向に配列順が逆の回路基板７Ｄのコネクタ１２ｄの端子と部品１６Ｂのコネクタ１２ａの端子１７ｐ，１７ｍとを接続することができる。一方、下側のコネクタ１２ｄに接続されるフラットケーブル１１は、配線の上下の順序が反転しない状態にＳ字状またはＩ字状に配策されているため、上下方向に配列順が同じ回路基板７Ｄのコネクタ１２ｄの端子と部品１６Ｂのコネクタ１２ａの端子１７ｐ，１７ｍとを接続することができる。このように、本実施形態では、フラットケーブル１１が捩られることなく背面８ａに沿って面内方向に屈曲して配置されることにより、端子配列が逆のコネクタ１２ａ，１２ｄ同士を、フラットケーブル１１で接続することができる。また、本実施形態では、相互に同じ仕様の部品１６Ａ，１６Ｄが対角状に配置されるとともに、これら部品１６Ａ，１６Ｄとは端子１７ｐ，１７ｍの配列が逆である相互に同じ仕様の部品１６Ｂ，１６Ｄが対角状に配置され、さらに、フラットケーブル１１が面内方向に屈曲された状態に配置されることで、複数のフラットケーブル１１同士が重なり合わないように配置することが可能となる。
【００３３】
部品１６は、図９に示す変形例のように導光部１５の上下の端部１５ａ，１５ｂに対向した状態に配置することもできるし、部品１６の数を四つ以外にすることも可能である。図９の変形例でも、部品１６Ａと部品１６Ｄとを同じ仕様とし、部品１６Ｂと部品１６Ｃとを同じ仕様とすることで、部品１６の数を減らして、部品１６の製造の手間を減らして製造コストを低減することができる。
【００３４】
回路基板７Ｄでのコネクタ１２ｄの配置は、図１０に示す変形例のように上側の端部７ａに配置することもできるし、他の端部７ｂ〜７ｄに配置することもできるし、複数の端部７ａ〜７ｄに分けて配置することもできる。図１０の変形例では、コネクタ１２ｄの端子の配列が全て同じである。この場合にあっては、例えば、図１０の最も左側のコネクタ１２ｄがフラットケーブル１１を介して図７の右下の部品１６Ｄのコネクタ１２ａに接続され、図１０の左から２番目のコネクタ１２ｄがフラットケーブル１１を介して図７の左下の部品１６Ｂのコネクタ１２ａに接続され、図１０の右から２番目のコネクタ１２ｄがフラットケーブル１１を介して図７の左上の部品１６Ｃのコネクタ１２ａに接続され、図１０の最も右側のコネクタ１２ｄがフラットケーブル１１を介して図７の右上の部品１６Ａのコネクタ１２ａに接続される。
【００３５】
また、図１１の変形例では、複数のフラットケーブル１１が、介在部品としてのインシュレータ（シールド）１９を介して、厚さ方向に重なり合っている。コネクタ１２ｄの配置や、筐体２ｃ内での部品のレイアウト等により、複数のフラットケーブル１１を厚さ方向に重ねる場合には、図１１に示すように、複数のフラットケーブル１１間にインシュレータ１９を介在させることで、信号の漏洩による発光部１０の誤作動等の不都合を抑制することができる。
【００３６】
以上、本発明の好適な実施形態について説明したが、本発明は上記実施形態には限定されず、種々の変形が可能である。例えば、上記実施形態では、表示部およびバックライトユニットを含む表示ユニットが、電子機器としての映像表示装置に搭載された場合が例示されたが、同様の表示ユニットがパーソナルコンピュータ等の他の電子機器に搭載された形態として実施することも可能である。また、映像表示装置や、電子機器、バックライトユニット、筐体、表示部、導光部、部品、発光部、接続部、回路基板等のスペック（構造や、形状、大きさ、長さ、幅、厚さ、高さ、数、配置、位置、材質等は）、適宜変更して実施することができる。
【００３７】
本発明の実施形態によれば、複数の発光部を有した複数の部品を備えた場合に、それら部品の仕様違いによる不都合が生じにくい映像表示装置、バックライトユニット、および電子機器を得ることができる。
【符号の説明】
【００３８】
１…映像表示装置（電子機器）、２ｃ…筐体、４…表示部、４ａ…表示画面、７Ｄ…回路基板、７ａ〜７ｄ…（回路基板の）端部、１０…発光部、１２ａ…コネクタ（接続部）、１２ｂ…コネクタ（第二の接続部）、１２ｃ…コネクタ（第三の接続部）、１２ｄ…コネクタ（第四の接続部）、１４…バックライト部（バックライトユニット）、１５…導光部、１５ａ〜１５ｄ…端部、１６…部品、１６ａ…基部、１７ｐ…（正極の）端子、１７ｍ…（負極の）端子、１９…インシュレータ（介在部品）。
【図１】
2012138181.tif 000003
【図２】
2012138181.tif 000004
【図３】
2012138181.tif 000005
【図４】
2012138181.tif 000006
【図５】
2012138181.tif 000007
【図６】
2012138181.tif 000008
【図７】
2012138181.tif 000009
【図８】
2012138181.tif 000010
【図９】
2012138181.tif 000011
【図１０】
2012138181.tif 000012
【図１１】
2012138181.tif 000013
【手続補正書】
【提出日】平成23年12月2日(2011.12.2)
【手続補正１】
【補正対象書類名】明細書
【補正対象項目名】００３１
【補正方法】変更
【補正の内容】
【００３１】
図８には、回路基板７Ｄに設けられるコネクタ１２ｄの端子（図示せず）の配列の一例が示されている。回路基板７Ｄの図８の左側の端部７ｃに設けられた二つのコネクタ１２ｄでは、ピン番号は下側から上側に向かうにつれて大きくなる。これら二つのコネクタ１２ｄのうち、上側のコネクタ１２ｄの端子は、フラットケーブル１１内の配線（図示せず）を介して図７の左下のコネクタ１２ａの端子１７ｐ，１７ｍに接続され、下側のコネクタ１２ｄの端子は、フラットケーブル１１内の配線を介して図７の右下のコネクタ１２ａの端子１７ｐ，１７ｍに接続される。図７に示すように、左下のコネクタ１２ａでは、ピン番号は下側から上側に向かうにつれて大きくなり、右下のコネクタ１２ａでは、ピン番号は上側から下側に向かうにつれて大きくなる。ここで、図３に示すように、下側のコネクタ１２ｄに接続されるフラットケーブル１１は、配線の上下の順序が反転する状態にＵ字状に配策されているため、上下方向に配列順が逆の回路基板７Ｄのコネクタ１２ｄの端子と部品１６Ｄのコネクタ１２ａの端子１７ｐ，１７ｍとを接続することができる。一方、上側のコネクタ１２ｄに接続されるフラットケーブル１１は、配線の上下の順序が反転しない状態にＳ字状またはＩ字状に配策されているため、上下方向に配列順が同じ回路基板７Ｄのコネクタ１２ｄの端子と部品１６Ｂのコネクタ１２ａの端子１７ｐ，１７ｍとを接続することができる。
【手続補正２】
【補正対象書類名】明細書
【補正対象項目名】００３２
【補正方法】変更
【補正の内容】
【００３２】
一方、回路基板７Ｄの図８の右側の端部７ｄに設けられた二つのコネクタ１２ｄでは、ピン番号は上側から下側に向かうにつれて大きくなる。これら二つのコネクタ１２ｄのうち、上側のコネクタ１２ｄの端子は、フラットケーブル１１内の配線（図示せず）を介して図７の左上のコネクタ１２ａの端子１７ｐ，１７ｍに接続され、下側のコネクタ１２ｄの端子は、フラットケーブル１１内の配線を介して図７の右上のコネクタ１２ａの端子１７ｐ，１７ｍに接続される。図７に示すように、左上のコネクタ１２ａでは、ピン番号は下側から上側に向かうにつれて大きくなり、右上のコネクタ１２ａでは、ピン番号は上側から下側に向かうにつれて大きくなる。ここで、図３に示すように、上側のコネクタ１２ｄに接続されるフラットケーブル１１は、配線の上下の順序が反転する状態にＵ字状に配策されているため、上下方向に配列順が逆の回路基板７Ｄのコネクタ１２ｄの端子と部品１６Ａのコネクタ１２ａの端子１７ｐ，１７ｍとを接続することができる。一方、下側のコネクタ１２ｄに接続されるフラットケーブル１１は、配線の上下の順序が反転しない状態にＳ字状またはＩ字状に配策されているため、上下方向に配列順が同じ回路基板７Ｄのコネクタ１２ｄの端子と部品１６Ｃのコネクタ１２ａの端子１７ｐ，１７ｍとを接続することができる。このように、本実施形態では、フラットケーブル１１が捩られることなく背面８ａに沿って面内方向に屈曲して配置されることにより、端子配列が逆のコネクタ１２ａ，１２ｄ同士を、フラットケーブル１１で接続することができる。また、本実施形態では、相互に同じ仕様の部品１６Ａ，１６Ｄが対角状に配置されるとともに、これら部品１６Ａ，１６Ｄとは端子１７ｐ，１７ｍの配列が逆である相互に同じ仕様の部品１６Ｂ，１６Ｄが対角状に配置され、さらに、フラットケーブル１１が面内方向に屈曲された状態に配置されることで、複数のフラットケーブル１１同士が重なり合わないように配置することが可能となる。
【手続補正３】
【補正対象書類名】明細書
【補正対象項目名】００３４
【補正方法】変更
【補正の内容】
【００３４】
回路基板７Ｄでのコネクタ１２ｄの配置は、図１０に示す変形例のように上側の端部７ａに配置することもできるし、他の端部７ｂ〜７ｄに配置することもできるし、複数の端部７ａ〜７ｄに分けて配置することもできる。図１０の変形例では、コネクタ１２ｄの端子の配列が全て同じである。この場合にあっては、例えば、図１０の最も左側のコネクタ１２ｄがフラットケーブル１１を介して図７の右下の部品１６Ｄのコネクタ１２ａに接続され、図１０の左から２番目のコネクタ１２ｄがフラットケーブル１１を介して図７の左下の部品１６Ｂのコネクタ１２ａに接続され、図１０の右から２番目のコネクタ１２ｄがフラットケーブル１１を介して図７の左上の部品１６Ａのコネクタ１２ａに接続され、図１０の最も右側のコネクタ１２ｄがフラットケーブル１１を介して図７の右上の部品１６Ｃのコネクタ１２ａに接続される。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
筐体と、
表示画面を有し、前記筐体内に少なくとも一部が収容された表示部と、
前記表示部の前記表示画面とは反対側に位置され互いに平行な第一の端部および第二の端部を有した導光部と、
前記第一の端部に対向するとともに当該第一の端部に沿い、互いに近い側に位置された第一の極の端子と、互いに遠い側に位置された第二の極の端子と、をそれぞれ有し前記表示画面に平行な面とそれぞれ面対称ではない第一の発光ユニットおよび第二の発光ユニットと、
前記第二の端部に対向するとともに当該第二の端部に沿い、互いに近い側に位置された第一の極の端子と、互いに遠い側に位置された第二の極の端子と、をそれぞれ有し前記表示画面に平行な面とそれぞれ面対称ではない第三の発光ユニットおよび第四の発光ユニットと、
前記第一の発光ユニットは、前記第四の発光ユニットと同一形状であるとともに前記第二の発光ユニットとは異なる形状であって前記第三の発光ユニットと対向し、前記第二の発光ユニットは、前記第三の発光ユニットと同一形状であって前記第四の発光ユニットと対向した、映像表示装置。
【請求項２】
前記第一の極の端子および前記第二の極の端子は、前記発光ユニットの長手方向の一端部に位置された、請求項１に記載の映像表示装置。
【請求項３】
前記発光ユニットの前記長手方向の前記一端部は、それぞれ、前記表示装置の角部に対応して配置された、請求項２に記載の映像表示装置。
【請求項４】
前記第一の極の端子および前記第二の極の端子は、前記発光ユニットの前記表示画面とは反対側の端部に寄って位置された、請求項１〜３のうちいずれか一つに記載の映像表示装置。
【請求項５】
前記発光ユニットにそれぞれ設けられ、前記第一の極の端子および前記第二の極の端子を有した接続部と、
当該接続部に接続された第二の接続部とその反対側の第三の接続部とを有した複数のフラットケーブルと、
複数の前記第三の接続部に接続された複数の第四の接続部を有して前記発光ユニットの発光部に電力を供給する回路基板と、
をさらに備えた、請求項１〜４のうちいずれか一つに記載の映像表示装置。
【請求項６】
前記複数の第四の接続部が、前記回路基板の相互に対向する二つの端部に設けられた、請求項５に記載の映像表示装置。
【請求項７】
前記複数の第四の接続部が、前記回路基板の一つの端部に並べて設けられた、請求項５に記載の映像表示装置。
【請求項８】
前記複数のフラットケーブルの間に当該フラットケーブルの厚さ方向に挟まれた介在部品をさらに備えた、請求項５〜７のうちいずれか一つに記載の映像表示装置。
【請求項９】
互いに平行な第一の端部および第二の端部を有した導光部と、
前記第一の端部に対向するとともに当該第一の端部に沿い、互いに近い側に位置された第一の極の端子と、互いに遠い側に位置された第二の極の端子と、をそれぞれ有し前記表示画面に平行な面とそれぞれ面対称ではない第一の発光ユニットおよび第二の発光ユニットと、
前記第二の端部に対向するとともに当該第二の端部に沿い、互いに近い側に位置された第一の極の端子と、互いに遠い側に位置された第二の極の端子と、をそれぞれ有し前記表示画面に平行な面とそれぞれ面対称ではない第三の発光ユニットおよび第四の発光ユニットと、
前記第一の発光ユニットは、前記第四の発光ユニットと同一形状であるとともに前記第二の発光ユニットとは異なる形状であって前記第三の発光ユニットと対向し、前記第二の発光ユニットは、前記第三の発光ユニットと同一形状であって前記第四の発光ユニットと対向した、バックライトユニット。
【請求項１０】
筐体と、
表示画面を有し、前記筐体内に少なくとも一部が収容された表示部と、
前記表示部の前記表示画面とは反対側に位置され互いに平行な第一の端部および第二の端部を有した導光部と、
前記第一の端部に対向するとともに当該第一の端部に沿い、互いに近い側に位置された第一の極の端子と、互いに遠い側に位置された第二の極の端子と、をそれぞれ有した第一の発光ユニットおよび第二の発光ユニットと、
前記第二の端部に対向するとともに当該第二の端部に沿い、互いに近い側に位置された第一の極の端子と、互いに遠い側に位置された第二の極の端子と、をそれぞれ有した第三の発光ユニットおよび第四の発光ユニットと、
前記第一の発光ユニットは、前記第四の発光ユニットと交換可能であるとともに前記第二の発光ユニットとは交換不能であって前記第三の発光ユニットと対向し、前記第二の発光ユニットは、前記第三の発光ユニットと交換可能であって前記第四の発光ユニットと対向した、電子機器。
【手続補正２】
【補正対象書類名】明細書
【補正対象項目名】０００６
【補正方法】変更
【補正の内容】
【０００６】
本発明の実施形態にかかる映像表示装置は、筐体と、表示部と、導光部と、第一の発光ユニットおよび第二の発光ユニットと、第三の発光ユニットおよび第四の発光ユニットと、を備える。表示部は、表示画面を有し、筐体内に少なくともその一部が収容される。導光部は、表示部の表示画面とは反対側に位置され互いに平行な第一の端部および第二の端部を有する。第一の発光ユニットおよび第二の発光ユニットは、第一の端部に対向するとともに当該第一の端部に沿い、互いに近い側に位置された第一の極の端子と、互いに遠い側に位置された第二の極の端子と、をそれぞれ有し表示画面に平行な面とそれぞれ面対称ではない。第三の発光ユニットおよび第四の発光ユニットは、第二の端部に対向するとともに当該第二の端部に沿い、互いに近い側に位置された第一の極の端子と、互いに遠い側に位置された第二の極の端子と、をそれぞれ有し表示画面に平行な面とそれぞれ面対称ではない。第一の発光ユニットは、第四の発光ユニットと同一形状であるとともに第二の発光ユニットとは異なる形状であって第三の発光ユニットと対向し、第二の発光ユニットは、第三の発光ユニットと同一形状であって第四の発光ユニットと対向した。